(57)【要約】【課題】荷物の取出しが容易なスーツケースを提供する。【解決手段】荷物の収容空間が内部に形成されたシェル１１を構成するシェル体１２およびシェル体１３と、シェル体１２とシェル体１３との間に設けられ、シェル体１２とシェル体１３とを離隔させて収容空間を拡張するとともに、シェル体１２とシェル体１３とを接近させて収容空間を縮小するマチ部２３と、収容空間の内部を仕切り、収容部１９ａを有する中仕切り１９と、を備える。収容部１９ａに対する開口２５がマチ部２３に設けられている。【選択図】図３
2019209112.tif 000002
【特許請求の範囲】
【請求項１】
荷物の収容空間が内部に形成されたシェルを構成する第一のシェル体および第二のシェル体と、
前記第一のシェル体と前記第二のシェル体との間に設けられ、前記第一のシェル体と前記第二のシェル体とを離隔させて前記収容空間を拡張するとともに、前記第一のシェル体と前記第二のシェル体とを接近させて前記収容空間を縮小するマチ部と、
前記収容空間の内部を仕切り、収容部を有する中仕切りと、を備え、
前記収容部に対する開口が前記マチ部に設けられていることを特徴とするスーツケース。
【請求項２】
前記中仕切りは、前記開口が設けられた前記マチ部の第一の面に固定された一端と、前記第一の面と対向する第二の面に対して着脱自由に固定された他端と、を有することを特徴とする請求項１記載のスーツケース。
【請求項３】
前記第一のシェル体および前記マチ部が前記第二のシェル体に対して開閉可能であることを特徴とする請求項１または２記載のスーツケース。
【発明の詳細な説明】
【技術分野】
【０００１】
本発明は、荷物の収容空間を拡縮して容量を可変とするマチを備えるスーツケースに関する。
【背景技術】
【０００２】
荷物の収容空間を拡縮して容量を可変とするマチを備えるスーツケースとして、例えば特許文献１に記載されたものがある。図６に示すように、このスーツケース１は、箱体２と蓋体３とを備え、蓋体３は蓋体４，５の２つに分離されている。蓋体４，５は、強度および軟性を有する素材からなるマチ部６で連結され、マチ部６の外側には、ファスナー７が設けられている。ファスナー７が閉められた状態では、マチ部６は内側に折りたたまれて蓋体４，５が接合され、ファスナー７が開けられた状態では、折りたたまれていたマチ部６は伸長して蓋体４，５が離隔し、スーツケース１の容量が拡張する。
【先行技術文献】
【特許文献】
【０００３】
【特許文献１】実用新案登録第３１８２７１０号
【発明の概要】
【発明が解決しようとする課題】
【０００４】
ところで、マチ部６を伸長させてスーツケース１の容量を拡張するのは、それだけ多くの荷物を収容しなければならないからであるが、使用者がスーツケース１に収容した荷物の中から移動中などに必要な物だけを取り出そうとすると、荷物が多い分、他の荷物が必要な物を取り出す際の妨げになるという問題がある。特に、使用者が必要とする荷物が小さい物である場合や、薄い物である場合には、他の荷物が必要な物の取出しの著しい支障となる。
本発明は、上記の事情に鑑みてなされたもので、荷物の取出しが容易なスーツケースを提供することを課題としている。
【課題を解決するための手段】
【０００５】
上記課題を解決するために、本発明に係るスーツケースは、荷物の収容空間が内部に形成されたシェルを構成する第一のシェル体および第二のシェル体と、前記第一のシェル体と前記第二のシェル体との間に設けられ、前記第一のシェル体と前記第二のシェル体とを離隔させて前記収容空間を拡張するとともに、前記第一のシェル体と前記第二のシェル体とを接近させて前記収容空間を縮小するマチ部と、前記収容空間の内部を仕切り、収容部を有する中仕切りと、を備え、前記収容部に対する開口が前記マチ部に設けられている。
【発明の効果】
【０００６】
本発明に係るスーツケースにおいては、荷物の収容空間からの取出しを容易にできる。
【図面の簡単な説明】
【０００７】
【図１】発明を実施するための形態に係るスーツケースを示す説明図。
【図２】図１のスーツケースについて、マチ部の連結布が伸長して収容空間の容量が拡張した状態を示す説明図。
【図３】図１のスーツケースの内部構造を示す説明図。
【図４】中仕切りの小袋部および大袋部を説明するための上下方向に切断した断面図。
【図５】発明を実施するための形態に係る他のスーツケースを示す説明図。
【図６】（ａ）は従来のスーツケースを示す説明図、（ｂ）は（ａ）のスーツケースについて、マチ部が伸長して収容空間の容量が拡張した状態を示す説明図。
【発明を実施するための形態】
【０００８】
本発明を実施するための形態について、図面を用いて説明する。
【０００９】
本実施形態においては、「上」は図1および図2における上を意味し、「下」は図1および図2における下を意味する。「左」は図1および図2における手前側の側面を意味し、「右」は図1および図2における奥側の側面を意味する。「前」は、図1および図２における右側（シェル体１２側）を意味し、「後」は図１および図２における左側（シェル体１３側）を意味する。
【００１０】
スーツケース１０は、直方体状のシェル１１を前後に分割してなる（分割した形状を有する）樹脂製のシェル体１２およびシェル体１３と、シェル体１２の下面１２ａおよびシェル体１３の下面１３ａに設けられたキャスター１４と、シェル体１３の上面１３ｂに設けられたハンドル１５と、シェル体１３に上下方向に伸縮可能に設けられたプルドライブハンドル１６とを備える。
【００１１】
シェル体１２の左側面１２ｃおよびシェル体１３の左側面１３ｃは、ヒンジ結合され、シェル用ファスナー１７の開け閉めによりシェル体１２とシェル体１３とが開閉可能となっている。
【００１２】
図３に示すように、シェル１１の内部には、荷物を収容する収容空間１８が形成されている。収容空間１８の内部には、シェル体１２側の収容空間である前側収容空間１８ａと、シェル体１３側の収容空間である後側収容空間１８ｂとに収容空間１８を仕切る中仕切り１９と、後側収容空間１８ｂに収容された荷物を押さえる中バンド２０とが設けられている。
【００１３】
シェル体１２は、後方には、シェル体１２の後縁部の枠形状と略同一の枠形状を有するフレーム２１、および、シェル体１２の周縁部１２ｄとフレーム２１とを連結する連結布２２からなるマチ部２３を有している。シェル用ファスナー１７のスライダー（務歯）により噛み合う二つのエレメントのうち一方は、フレーム２１の後部に取り付けられ、他方はシェル体１３の前部（周縁部１３ｄ）に取り付けられている。
【００１４】
マチ部２３の外側（外周）には、マチ部用ファスナー２４が設けられている。マチ部用ファスナー２４のスライダーにより噛み合う二つのエレメントのうち一方は、シェル体１２の周縁部１２ｄに取り付けられ、他方がフレーム２１の前部に取り付けられている。
【００１５】
シェル用ファスナー１７が閉められて、シェル体１２（およびマチ部２３）がシェル体１３に対して閉じている場合に、マチ部用ファスナー２４が閉められると、連結布２２は内側に折りたたまれてシェル体１２とフレーム２１およびシェル体１３とが接近し、収容空間１８が縮小する。また、マチ部用ファスナー２４が開けられると、折りたたまれていた連結布２２は前後方向に伸長してシェル体１２とフレーム２１およびシェル体１３とが離隔し、収容空間１８が拡張する。
【００１６】
中仕切り１９は、一端１９ｃと、他端１９ｄとを有している。一端１９ｃは、大袋部１９ａへの開口となる開口部２５が設けられ、マチ部２３の上面２３ａ（第一の面）に固定されている。具体的には、一端１９ｃは、開口した状態で、収容部としての大袋部１９ａに開口部２５からアクセス可能なように、連結布２２の上面２２ａに固定されている。他端１９ｄは、上面２３ａと対向するマチ部２３の下面２３ｂ（第二の面）に対して着脱自由に固定されている。具体的には、他端１９ｄは、バックル２８を有しており、このバックル２８は、フレーム２１の下辺部２１ｂに設けられたバックル受け２７と係合する。
他端１９ｄが固定されることにより、中仕切り１９は収容空間１８の内部を仕切り、前側収容空間１８ａおよび後側収容空間１８ｂの境界を形成する。また、他端１９ｄが固定されていない場合には、一端１９ｃを基点に、開けたり閉じたりされることにより、前側収容空間１８ａを開放したり、閉じたりすることができる。
【００１７】
中仕切り１９は、収容部として、大袋部１９ａと、小袋部１９ｂとを内部に有している。
大袋部１９ａは、主にシェル１１を閉じた際に利用される収納袋であり、開口部２５を介してアクセスされる。開口部２５には、大袋部用ファスナー２６が設けられており、大袋部用ファスナー２６を開けることにより、開口部２５が形成される。
小袋部１９ｂは、シェル１１を開けた際に利用される収納袋であり、開口部２９（図４においては、閉じている。）を介してアクセスされる。開口部２９には、小袋部用ファスナー３０が設けられており、小袋部用ファスナー３０を開けることにより、開口部２９が形成される。
【００１８】
大袋部１９ａは、外布３１および内布３２と、外布３１および内布３２の間に挟まれたウレタンなどの緩衝材３３とで形成されている。小袋部１９ｂは、後側に位置する外布３１ａと、メッシュ状の小袋部用外布３４とで形成されている。
【００１９】
この実施の形態に係るスーツケース１０によれば、収容空間１８の内部に大袋部１９ａを設けたため、シェル１１を開け閉めすることなく簡易に荷物の出し入れをすることができる。
すなわち、マチ部用ファスナー２４が完全に開けられ、マチ部２３が収容空間１８を拡張させている場合においては、連結布２２の上面２２ａに大袋部用ファスナー２６が露出しており、この大袋部用ファスナー２６を開けることにより大袋部１９ａに荷物を収容することができる。また、マチ部用ファスナー２４が閉じられ、マチ部２３が収容空間１８を縮小させている場合においては、マチ部用ファスナー２４を、大袋部用ファスナー２６の位置に対応する上側一辺のみ開けることにより大袋部用ファスナー２６を露出させ、この大袋部用ファスナー２６を開けることにより、大袋部１９ａに荷物を収容することができる。
【００２０】
また、シェル１１を開けることなくアクセス可能な大袋部１９ａは、中仕切り１９を兼ねている。このため、開口部２５からアクセス可能な、中仕切り１９とは別部材の別途のポケットを設ける場合に比べて、部材（部品）点数を削減することができ、外観的に簡素化することができる。また、上述した、中仕切り１９とは別部材としての別途のポケットを設けた場合、収容物によってはキャリーバッグの運搬時、ポケットが振動し、運搬性を損ねる恐れもある。これに対しては、スーツケース１０は、一端１９ｃがマチ部２３に固定され、他端１９ｄがマチ部２３に着脱自由に固定された中仕切り１９をポケットと兼ねた。このため、大袋部１９ａ（中仕切り１９）の他端１９ｄはマチ部２３に確実に固定され、大袋部１９ａの振動が生じる恐れがなく、スーツケース１０の運搬性を損ねることがない。
【００２１】
大袋部１９ａは、緩衝材３３によりクッション性を有するため、例えばノートパソコンなどの電子機器を収容するのに適している。また、大袋部１９ａは、収容空間１８に比べて開閉が容易であるため、出し入れを頻繁に行う物を収容するのに適している。
【００２２】
また、大袋部１９ａが中仕切り１９に設けられ、大袋部１９ａに収容した荷物が収容空間１８にある他の荷物と区画されるので、特に移動中などに取出しが必要な荷物が小さい物や薄い物である場合には、それらを大袋部１９ａに収容することによって、その取出しが他の荷物の干渉を受け難くなり容易となる。
【００２３】
以上、本発明を実施するための形態について例示したが、本発明の実施形態は上述したものに限られず、本発明の趣旨を逸脱しない範囲で適宜変更などしてもよい。
【００２４】
例えば、図５は、本実施の形態に係る他のスーツケース４０を示す。このスーツケース４０は、シェル体１２（マチ部２３）とシェル体１３との間、詳細には、フレーム２１とシェル用ファスナー１７との間に樹脂製のシェル体４１が設けられている。シェル体４１がシェル体１２とともにシェル体１３に対して開閉可能であるほかは、スーツケース１０と同様の構成であり、スーツケース１０と同様の効果を奏する。
【００２５】
また、他の形態としては、中仕切り１９が連結布２２の右側面または下面に固定され、その右側面または下面に大袋部１９ａの開口部２５が設けられてもよい。この場合、バックル受け２７およびバックル２８は、左側面または上面に設けられる。
【００２６】
また、マチ部２３がスーツケース１０の前方にあるシェル体１２と一体的に後方にあるシェル体１３に対して開閉せずに、マチ部２３を後方にあるシェル体１３と一体的にするなどして、前方にあるシェル体１２がマチ部２３と独立して開閉するようにしてもかまわない。
【００２７】
さらに、小袋部１９ｂを省略し、小袋部用ファスナー３０を大袋部１９ａの開閉のために設けてもよい。この場合、使用者は、シェル用ファスナー１７を閉じた状態でも、開けた状態でも、容易に大袋部１９ａを利用することができる。
【００２８】
さらにまた、大袋部１９ａを省略し、ファスナー２６をシェル用ファスナー１７を閉じた状態でも収容空間１８にアクセスするための開口を形成するために利用してもよい。
【００２９】
また、スーツケース１０の容量が大きい場合など、中仕切り１９の全面積に対応させた大袋部１９ａを形成すると大袋部１９ａの使い勝手が悪い場合（開口部２５から大袋部１９ａの底までの距離が大きすぎ、収容物の出し入れがしにくい場合）には、大袋部１９ａの底を一端１９ｃから他端１９ｄの途中に形成してもよい。
【００３０】
なお、「シェルを構成する第一のシェル体および第二のシェル体」とは、少なくとも第一のシェル体および第二のシェル体がシェルを構成すればよいことを意味し、シェルを構成するその他の要素を排斥するものではない。
【００３１】
また、「前記第一のシェル体と前記第二のシェル体とを離隔させて前記収容空間を拡張する」とは、第一のシェル体と第二のシェル体とが収容空間が拡張するように離隔すればよいことを意味し、第一のシェル体および第二のシェル体の離隔のための移動方向を限定するものではない。
【００３２】
同様に、「前記第一のシェル体と前記第二のシェル体とを接近させて前記収容空間を縮小する」とは、第一のシェル体と第二のシェル体とが収容空間が縮小するように接近すればよいことを意味し、第一のシェル体および第二のシェル体の接近のための移動方向を限定するものではない。
【符号の説明】
【００３３】
１、１０、４０  スーツケース
２  箱体
３、４、５  蓋体
６  マチ部
７  ファスナー
１１  シェル
１２、１３、４１  シェル体
１２ａ、１３ａ  下面
１２ｃ、１３ｃ  左側面
１２ｄ、１３ｄ  周縁部
１３ｂ、２２ａ  上面
１４  キャスター
１５  ハンドル
１６  プルドライブハンドル
１７  シェル用ファスナー
１８  収容空間
１８ａ  前側収容空間
１８ｂ  後側収容空間
１９  中仕切り
１９ａ  大袋部
１９ｂ  小袋部
１９ｃ  一端
１９ｄ  他端
２０  中バンド
２１  フレーム
２１ｂ  下辺部
２２  連結布
２３  マチ部
２３ａ  上面
２３ｂ  下面
２４  マチ部用ファスナー
２５、２９  開口部
２６  大袋部用ファスナー
２７  バックル受け
２８  バックル
３０  小袋部用ファスナー
３１、３１ａ  外布
３２  内布
３３  緩衝材
３４  小袋部用外布
【図１】
2019209112.tif 000003
【図２】
2019209112.tif 000004
【図３】
2019209112.tif 000005
【図４】
2019209112.tif 000006
【図５】
2019209112.tif 000007
【図６】
2019209112.tif 000008